(57)【要約】【課題】  安価なシャフトの抜止め構造を備えること。【解決手段】  シャフト２ｃに嵌合するブッシュ１４が、内径をシャフト２ｃの外径Ｄよりも大きく設定した環状枠１５と、該環状枠１５に周方向所定間隔をおいて突設されて前端面１６ａがシャフト２ｃと同一外径Ｄで環状枠１５と同心状の仮想円に沿って形成された複数の位置決め片１６と、該各位置決め片１６間で前記環状枠１５に周方向所定間隔をおいて突設されて前端面１７ａが前記仮想円よりも環状枠１５の中心側に若干突出する弾性変位可能な複数の抜止め片１７とを有しており、シャフト２ｃにより各抜止め片１７の前端部１７Ａを弾性変位させて該シャフト２ｃを各位置決め片１６間に嵌入させ、そのシャフト２ｃの外周面に各抜止め片１７の前端面１７ａを密着させるようにした。【選択図】        図２
0003107007.tif 000002
【実用新案登録請求の範囲】
【請求項１】
外周部に多数の駆動用コイルを周方向所定間隔ごとに取り付け中央部に軸受ホルダを一
体突設したステータと、該ステータに遊嵌合するマグネット付きロータケースを有し該ロ
ータケースの中心部に突設したシャフトを前記軸受ホルダに軸受を介して挿通したロータ
とを備えた磁気テープ装置用キャプスタンモータであって、内径がシャフトの外径とほぼ
同径のリング部と、該リング部の内周面に一体形成した環状ストッパとからなる合成樹脂
製ブッシュを有し、前記リング部を前記シャフトに嵌合させて軸受または軸受ホルダの端
面に当接させることにより前記環状ストッパをシャフトの環状抜止め溝に嵌入させるよう
にしたブラシレスモータにおいて、前記リング部及び環状ストッパとからなるブッシュに
代えて、内径をシャフトの外径よりも大きく設定した環状枠と、該環状枠に周方向所定間
隔をおいて突設されて前端面がシャフトと同一外径で環状枠と同心状の仮想円に沿って形
成された複数の位置決め片と、該各位置決め片間で前記環状枠に周方向所定間隔をおいて
突設されて前端面が前記仮想円よりも環状枠の中心側に若干突出する弾性変位可能な複数
の抜止め片とを有する合成樹脂製ブッシュが用いられ、前記各抜止め片の下面に、該各抜
止め片の前端面下端から後側に向かって斜め上向きに傾斜する前側傾斜面と、該前側傾斜
面の谷底線から後側に向かって斜め下向きに傾斜する後側傾斜面とからなる側面視略Ｖ字
状の凹溝が形成され、前記各抜止め片の上面に、その上面中央に設定した周方向に沿う稜
線を基準にして上面前側及び上面後側を斜め下向きに削除することにより、前記稜線から
前側に向かって斜め下向きに傾斜して前端面に達する前側傾斜面と、前記稜線から後側に
向かって斜め下向きに傾斜する後側傾斜面とが形成され、前記谷底線及び稜線を中心に各
抜止め片の前端部が弾性変位可能に形成され、前記各抜止め片の前端面に、該各抜止め片
の横断方向に沿って所定間隔ごとに多数の縦溝が平行して刻設されており、シャフトによ
り各抜止め片の前端部を弾性変位させて該シャフトを各位置決め片間に嵌入させ、そのシ
ャフトの外周面に各抜止め片の前端面を密着させるようにしたことを特徴とするブラシレ
スモータ。
【請求項２】
外周部に多数の駆動用コイルを周方向所定間隔ごとに取り付け中央部に軸受ホルダを一
体突設したステータと、該ステータに遊嵌合するマグネット付きロータケースを有し該ロ
ータケースの中心部に突設したシャフトを前記軸受ホルダに軸受を介して挿通したロータ
とを備え、前記シャフトに嵌合して軸受または軸受ホルダの端面に当接する合成樹脂製ブ
ッシュを有するブラシレスモータにおいて、前記ブッシュが、内径をシャフトの外径より
も大きく設定した環状枠と、該環状枠に周方向所定間隔をおいて突設されて前端面がシャ
フトと同一外径で環状枠と同心状の仮想円に沿って形成された複数の位置決め片と、該各
位置決め片間で前記環状枠に周方向所定間隔をおいて突設されて前端面が前記仮想円より
も環状枠の中心側に若干突出する弾性変位可能な複数の抜止め片とを有しており、シャフ
トにより各抜止め片の前端部を弾性変位させて該シャフトを各位置決め片間に嵌入させ、
そのシャフトの外周面に各抜止め片の前端面を密着させるようにしたことを特徴とするブ
ラシレスモータ。
【請求項３】
前記各抜止め片の下面に、該各抜止め片の前端面下端から後側に向かって斜め上向きに
傾斜する前側傾斜面と、該前側傾斜面の谷底線から後側に向かって斜め下向きに傾斜する
後側傾斜面とからなる側面視略Ｖ字状の凹溝が形成されており、前記谷底線を中心に各抜
止め片の前端部が弾性変位可能に形成されていることを特徴とする請求項２に記載のブラ
シレスモータ。
【請求項４】
前記各抜止め片の上面に、その上面中央に設定した周方向に沿う稜線を基準にして上面
前側及び上面後側を斜め下向きに削除することにより、前記稜線から前側に向かって斜め
下向きに傾斜して前端面に達する前側傾斜面と、前記稜線から後側に向かって斜め下向き
に傾斜する後側傾斜面とが形成されており、前記稜線を中心に各抜止め片の前端部が弾性
変位可能に形成されていることを特徴とする請求項３に記載のブラシレスモータ。
【請求項５】
前記各抜止め片の前端面に、該各抜止め片の横断方向に沿って所定間隔ごとに多数の縦
溝が平行して刻設されていることを特徴とする請求項２から４のいずれかに記載のブラシ
レスモータ。
【請求項６】
前記各抜止め片の下面の稜線に対向する位置に、該各抜止め片の横断方向に沿って側面
視略半円形の深溝を形成することにより、その各抜止め片の上面と深溝との間に薄肉部が
形成されていることを特徴とする請求項４または５に記載のブラシレスモータ。
【考案の詳細な説明】
【技術分野】
【０００１】
本考案は、例えば磁気テープ装置用キャプスタンモータとして使用されるブラシレスモ
ータに関し、安価なシャフトの抜止め構造を提供するものである。
【背景技術】
【０００２】
従来、ブラシレスモータの技術として特許文献１などに記載したものがあり、その一例
を図７に基づいて説明すると、これは、磁気テープ装置用キャプスタンモータであって、
外周部に多数の駆動用コイル１ａを周方向所定間隔ごとに取り付け中央部に軸受ホルダ１
ｂを一体突設したステータ１と、該ステータ１に遊嵌合するマグネット２ａ付きロータケ
ース２ｂを有し該ロータケース２ｂの中心部に突設したシャフト（キャプスタンシャフト
）２ｃを前記軸受ホルダ１ｂに軸受３を介して挿通したロータ２とを備え、前記シャフト
２ｃに合成樹脂製ブッシュ４が外嵌されている。なお、６はシャフト２ｃに磁気テープｔ
を介して圧接するピンチローラ、７はロータケース２ｂの下面にシャフト２ｃと同心状に
固着したプーリであり、動力伝達ベルト８が掛けられている。９は軸受ホルダ１ｂに固定
したプリント基板、１０は位置検出器である。
【０００３】
前記ブッシュ４は、図８に示すように、内径ｄ１がシャフトの外径Ｄとほぼ同径のリン
グ部４ａと、該リング部４ａの内周面に一体形成されてそのリング部４ａの内周面から若
干の突出幅α（例えば０．０５ｍｍ）だけ内側に突出する環状ストッパ４ｂとからなり、
シャフト２ｃをリング部４ａに対して押込み方向ａに嵌入させ、該リング部４ａの下面を
軸受３または軸受ホルダ１ｂの端面に当接させることにより、そのリング部４ａの環状ス
トッパ４ｂをシャフト２ｃの環状抜止め溝１１に嵌入させており、シャフト２ｃに抜出し
方向ｂの負荷がかかっても、その負荷に対抗してシャフト２ｃが不測に抜けないようにし
ている。
【特許文献１】特開平６−２９６３５７号公報
【考案の開示】
【考案が解決しようとする課題】
【０００４】
上記従来の構成では、環状ストッパ４ｂがリング部４ａの内周面に一体形成されてわず
かな突出幅αしかなく、該環状ストッパ４ｂを弾性変位させることがほとんどできないた
め、シャフト２ｃに嵌合させただけでは、その環状ストッパ４ｂによりシャフト２ｃが不
測に抜けないようにすることは困難である。そこで、シャフト２ｃの外周面に環状抜止め
溝１１を形成し、その環状抜止め溝１１に環状ストッパ４ｂを引っ掛けるようにしており
、これでは、シャフト２ｃに環状抜止め溝１１を形成する分だけ、加工に手間がかかって
製作費が高くつく。
【０００５】
本考案は、上記従来の欠点に鑑み、安価なシャフトの抜止め構造を備えたブラシレスモ
ータを提供することを目的としている。
【課題を解決するための手段】
【０００６】
上記目的を達成するため、請求項１に記載の考案は、外周部に多数の駆動用コイルを周
方向所定間隔ごとに取り付け中央部に軸受ホルダを一体突設したステータと、該ステータ
に遊嵌合するマグネット付きロータケースを有し該ロータケースの中心部に突設したシャ
フトを前記軸受ホルダに軸受を介して挿通したロータとを備えた磁気テープ装置用キャプ
スタンモータであって、内径がシャフトの外径とほぼ同径のリング部と、該リング部の内
周面に一体形成した環状ストッパとからなる合成樹脂製ブッシュを有し、前記リング部を
前記シャフトに嵌合させて軸受または軸受ホルダの端面に当接させることにより前記環状
ストッパをシャフトの環状抜止め溝に嵌入させるようにしたブラシレスモータにおいて、
前記リング部及び環状ストッパとからなるブッシュに代えて、内径をシャフトの外径より
も大きく設定した環状枠と、該環状枠に周方向所定間隔をおいて突設されて前端面がシャ
フトと同一外径で環状枠と同心状の仮想円に沿って形成された複数の位置決め片と、該各
位置決め片間で前記環状枠に周方向所定間隔をおいて突設されて前端面が前記仮想円より
も環状枠の中心側に若干突出する弾性変位可能な複数の抜止め片とを有する合成樹脂製ブ
ッシュが用いられ、前記各抜止め片の下面に、該各抜止め片の前端面下端から後側に向か
って斜め上向きに傾斜する前側傾斜面と、該前側傾斜面の谷底線から後側に向かって斜め
下向きに傾斜する後側傾斜面とからなる側面視略Ｖ字状の凹溝が形成され、前記各抜止め
片の上面に、その上面中央に設定した周方向に沿う稜線を基準にして上面前側及び上面後
側を斜め下向きに削除することにより、前記稜線から前側に向かって斜め下向きに傾斜し
て前端面に達する前側傾斜面と、前記稜線から後側に向かって斜め下向きに傾斜する後側
傾斜面とが形成され、前記谷底線及び稜線を中心に各抜止め片の前端部が弾性変位可能に
形成され、前記各抜止め片の前端面に、該各抜止め片の横断方向に沿って所定間隔ごとに
多数の縦溝が平行して刻設されており、シャフトにより各抜止め片の前端部を弾性変位さ
せて該シャフトを各位置決め片間に嵌入させ、そのシャフトの外周面に各抜止め片の前端
面を密着させるようにしたことを特徴としている。
【０００７】
請求項２に記載の考案は、外周部に多数の駆動用コイルを周方向所定間隔ごとに取り付
け中央部に軸受ホルダを一体突設したステータと、該ステータに遊嵌合するマグネット付
きロータケースを有し該ロータケースの中心部に突設したシャフトを前記軸受ホルダに軸
受を介して挿通したロータとを備え、前記シャフトに嵌合して軸受または軸受ホルダの端
面に当接する合成樹脂製ブッシュを有するブラシレスモータにおいて、前記ブッシュが、
内径をシャフトの外径よりも大きく設定した環状枠と、該環状枠に周方向所定間隔をおい
て突設されて前端面がシャフトと同一外径で環状枠と同心状の仮想円に沿って形成された
複数の位置決め片と、該各位置決め片間で前記環状枠に周方向所定間隔をおいて突設され
て前端面が前記仮想円よりも環状枠の中心側に若干突出する弾性変位可能な複数の抜止め
片とを有しており、シャフトにより各抜止め片の前端部を弾性変位させて該シャフトを各
位置決め片間に嵌入させ、そのシャフトの外周面に各抜止め片の前端面を密着させるよう
にしたことを特徴としている。
【０００８】
請求項３に記載の考案は、請求項２に記載の考案において、前記各抜止め片の下面に、
該各抜止め片の前端面下端から後側に向かって斜め上向きに傾斜する前側傾斜面と、該前
側傾斜面の谷底線から後側に向かって斜め下向きに傾斜する後側傾斜面とからなる側面視
略Ｖ字状の凹溝が形成されており、前記谷底線を中心に各抜止め片の前端部が弾性変位可
能に形成されていることを特徴としている。
【０００９】
請求項４に記載の考案は、請求項３に記載の考案において、前記各抜止め片の上面に、
その上面中央に設定した周方向に沿う稜線を基準にして上面前側及び上面後側を斜め下向
きに削除することにより、前記稜線から前側に向かって斜め下向きに傾斜して前端面に達
する前側傾斜面と、前記稜線から後側に向かって斜め下向きに傾斜する後側傾斜面とが形
成されており、前記稜線を中心に各抜止め片の前端部が弾性変位可能に形成されているこ
とを特徴としている。
【００１０】
請求項５に記載の考案は、請求項２から４のいずれかに記載の考案において、前記各抜
止め片の横断方向に沿って所定間隔ごとに多数の縦溝が平行して刻設されていることを特
徴としている。
【００１１】
請求項６に記載の考案は、請求項４または５に記載の考案において、前記各抜止め片の
下面の稜線に対向する位置に、該各抜止め片の横断方向に沿って側面視略半円形の深溝を
形成することにより、その各抜止め片の上面と深溝との間に薄肉部が形成されていること
を特徴としている。
【考案の効果】
【００１２】
請求項１に記載の考案は本考案の実施の一形態（図１〜図５参照）に対応するものであ
って、これによれば、シャフトをブッシュに対して嵌入させると、該シャフトにより各抜
止め片の前端部が押されて弾性変位され、これによって、そのシャフトを各位置決め片間
に容易に嵌入させることができ、このとき、各位置決め片の前端面がシャフトと同一外径
で環状枠と同心状の仮想円に沿って形成されているから、該各位置決め片に一体形成した
環状枠をシャフトと同心状に位置決めして、該環状枠に一体形成した各抜止め片の前記仮
想円よりも環状枠の中心側に若干突出する前端面をシャフトの外周面にほぼ均等に押し付
けることができる。従って、シャフトに抜出し方向の負荷がかかっても、その負荷により
各抜止め片の前端部がほぼ均等に弾性変位してシャフトの外周面に食い込むようにして圧
接されるので、該シャフトが不測に抜けることがなく、従来のようにシャフトの外周面に
環状抜止め溝を形成することが不要であって、その不要となった分だけ製作費を安くする
ことができる。
【００１３】
ここで、各抜止め片の下面に前側傾斜面及び後側傾斜面からなる側面視略Ｖ字状の凹溝
が形成されると共に、各抜止め片の上面に稜線を中心に前側傾斜面と後側傾斜面とが形成
されているから、ブッシュに嵌入させたシャフトに抜出し方向の負荷がかかったときには
、凹溝の谷底線及び稜線を中心に各抜止め片の前端部が円滑に弾性変位してシャフトの外
周面に食い込むように圧接されるので、シャフトの抜止め作用を格段に高めることができ
る。
【００１４】
また、各抜止め片の前端面に多数の縦溝が平行して刻設されているので、その各縦溝間
に切り残した多数の凸条部の先端をシャフトの外周面に密着させて滑り止め効果を高める
ことができる。
【００１５】
要するに、シャフトを入れ易く抜け難い構造にしたブッシュを備えた磁気テープ装置用
キャプスタンモータを提供するものである。
【００１６】
請求項２に記載の考案は基本形態を示すものであって、これによれば、シャフトをブッ
シュに対して嵌入させると、該シャフトにより各抜止め片の前端部が押されて弾性変位さ
れ、これによって、そのシャフトを各位置決め片間に容易に嵌入させることができ、この
とき、各位置決め片の前端面がシャフトと同一外径で環状枠と同心状の仮想円に沿って形
成されているから、該各位置決め片に一体形成した環状枠をシャフトと同心状に位置決め
して、該環状枠に一体形成した各抜止め片の前記仮想円よりも環状枠の中心側に若干突出
する前端面をシャフトの外周面にほぼ均等に押し付けることができる。従って、シャフト
に抜出し方向の負荷がかかっても、その負荷により各抜止め片の前端部がほぼ均等に弾性
変位してシャフトの外周面に食い込むようにして圧接されるので、該シャフトが不測に抜
けることがなく、従来のようにシャフトの外周面に環状抜止め溝を形成することが不要で
あって、その不要となった分だけ製作費を安くすることができる。
【００１７】
請求項３に記載の考案によれば、各抜止め片の下面に前側傾斜面及び後側傾斜面からな
る側面視略Ｖ字状の凹溝が形成されているから、ブッシュに嵌入させたシャフトに抜出し
方向の負荷がかかったときには、凹溝の谷底線を中心に各抜止め片の前端部が円滑に弾性
変位してシャフトの外周面に食い込むように圧接されるので、シャフトの抜止め作用を高
めることができる。
【００１８】
請求項４記載の考案によれば、前記各抜止め片の上面に稜線を中心に前側傾斜面と後側
傾斜面とが形成されているから、ブッシュに嵌入させたシャフトに抜出し方向の負荷がか
かったときには、稜線を中心に各抜止め片の前端部が円滑に弾性変位してシャフトの外周
面に食い込むように圧接されるので、シャフトの抜止め作用を一層高めることができる。
【００１９】
請求項５に記載の考案によれば、各抜止め片の前端面に多数の縦溝が平行して刻設され
ているので、その各縦溝間に切り残した多数の凸条部の先端をシャフトの外周面に密着さ
せて滑り止め効果を高めることができる。
【００２０】
請求項６に記載の考案によれば、各抜止め片の上面と深溝との間に形成した薄肉部を中
心にして該各抜止め片の前端部が首振り状に弾性変位されるので、その各抜止め片の前端
面の全体をシャフトの外周面にほぼ均等に密着させて滑り止め効果を一層高めることがで
きる。
【考案を実施するための最良の形態】
【００２１】
図１は本考案の実施の一形態であるブラシレスモータ（磁気テープ装置用キャプスタン
モータ）を示すものであって、シャフト２ｃにポリアセタール樹脂などの合成樹脂からな
るブッシュ１４が外嵌されている。上記以外の構成は図７に示す構成とほぼ同じであるか
ら、同一部分に同一符号を付してその説明を省略する。
【００２２】
前記ブッシュ１４は、図２及び図３に示すように、内径ｄ２をシャフト２ｃの外径Ｄよ
りも大きく設定した環状枠１５と、該環状枠１５に周方向所定間隔をおいて突設されて前
端面１６ａがシャフト２ｃと同一外径Ｄで環状枠１５と同心状の仮想円Ｓに沿って形成さ
れた複数（この実施の形態では３本）の位置決め片１６と、該各位置決め片１６間で前記
環状枠１５に周方向所定間隔をおいて突設されて前端面１７ａが前記仮想円Ｓよりも環状
枠１５の中心側に所定間隔β（例えば０．１〜０．２ｍｍ）だけ若干突出する弾性変位可
能な複数（この実施の形態では３本）の抜止め片１７とを有している。
【００２３】
図４に示すように、各抜止め片１７の下面に、該各抜止め片１７の前端面１７ａ下端か
ら後側に向かって斜め上向きに傾斜する前側傾斜面１８ａと、該前側傾斜面１８ａの谷底
線１８Ａから後側に向かって斜め下向きに傾斜する後側傾斜面１８ｂとからなる側面視略
Ｖ字状の凹溝１８が形成され、前記各抜止め片１７の上面に、その上面中央に設定した周
方向に沿う稜線１９を基準にして上面前側及び上面後側を斜め下向きに削除することによ
り、前記稜線１９から前側に向かって斜め下向きに傾斜して前端面１７ａに達する前側傾
斜面１９ａと、前記稜線１９から後側に向かって斜め下向きに傾斜する後側傾斜面１９ｂ
とが形成され、これによって、各抜止め片１７が縦断面略へ字状に形成されている。
【００２４】
図４（ａ）に示すように、シャフト２ｃをブッシュ１４に対して押込み方向ａに嵌入さ
せ、各位置決め片１６の下面に一体突設した脚部１６ｂ〔図２（ａ）参照〕を軸受３の上
面に当接させと、該シャフト２ｃにより各抜止め片１７の前端部１７Ａが押されて弾性変
位される〔図４（ａ）仮想線参照〕。これによって、そのシャフト２ｃを各位置決め片１
６間に容易に嵌入させることができ、このとき、各位置決め片１６の前端面１６ａがシャ
フト２ｃと同一外径Ｄで環状枠１５と同心状の仮想円Ｓに沿って形成されているから、該
各位置決め片１６に一体形成した環状枠１５をシャフト２ｃと同心状に位置決めして、該
環状枠１５に一体形成した各抜止め片１７の前記仮想円Ｓよりも環状枠１５の中心側に若
干突出する前端面１７ａをシャフト２ｃの外周面にほぼ均等に押し付けることができる〔
図２（ｂ）参照〕。
【００２５】
上記状態からシャフト２ｃに抜出し方向ｂの負荷がかかっても、図４（ｂ）に仮想線で
示すように、その負荷により各抜止め片１７の前端部１７Ａがほぼ均等に弾性変位してシ
ャフト２ｃの外周面に食い込むようにして圧接されるので、該シャフト２ｃが不測に抜け
ることがなく、従来のようにシャフト２ｃの外周面に環状抜止め溝１１（図８参照）を形
成することが不要であって、その不要となった分だけ製作費を安くすることができる。
【００２６】
ここで、各抜止め片１７の下面に前側傾斜面１８ａ及び後側傾斜面１８ｂからなる側面
視略Ｖ字状の凹溝１８が形成されると共に、各抜止め片１７の上面に稜線１９を中心に前
側傾斜面１９ａと後側傾斜面１９ｂとが形成されているから、ブッシュ１４に嵌入させた
シャフト２ｃに抜出し方向ｂの負荷がかかったときには、凹溝１８の谷底線１８Ａ及び稜
線１９を中心に各抜止め片１７の前端部１７Ａが円滑に弾性変位してシャフト２ｃの外周
面に食い込むように圧接されるので、シャフト２ｃの抜止め作用を格段に高めることがで
きる。
【００２７】
上記の実施の形態では、各抜止め片１７の前端面１７ａをシャフト２ｃの外周面に沿う
円弧面状に形成したが、これに限定されるわけではなく、図５に示すように、各抜止め片
１７の前端面１７ａに、該各抜止め片１７の横断方向に沿って所定間隔ｔごとに多数の縦
溝２０を平行に刻設してもよく、これによって、各縦溝２０間に切り残した多数の凸条部
２１の先端をシャフト２ｃの外周面に密着させて滑り止め効果を高めることができる。
【００２８】
また、図６に示すように、各抜止め片１７の下面の稜線１９に対向する位置に、該各抜
止め片１７の横断方向に沿って側面視略半円形の深溝２２を形成して、各抜止め片１７の
上面と深溝２２との間に薄肉部２３を形成してもよく、これによって、薄肉部２３を中心
に各抜止め片１７の前端部１７Ａが上下方向ｃ，ｄに首振り状に弾性変位可能に形成され
るので、その各抜止め片１７の前端面１７ａの全体をシャフト２ｃの外周面にほぼ均等に
密着させて滑り止め効果を一層高めることができる。
【００２９】
要するに、シャフト２ｃを入れ易く抜け難い構造にしたブッシュ１４を備えた磁気テー
プ装置用キャプスタンモータを提供するものである。
【産業上の利用可能性】
【００３０】
上記の実施の形態では、磁気テープ装置用キャプスタンモータを例にあげて説明したが
、これに限定されるわけではなく、各種電気機器に使用されるブラシレスモータにも適用
される。
【図面の簡単な説明】
【００３１】
【図１】本考案の実施の一形態であるブラシレスモータの正面図である。
【図２】（ａ）は同要部の縦断面図、（ｂ）はＡ−Ａ矢視図、（ｃ）はブッシュの斜視図である。
【図３】同ブッシュの拡大平面図である。
【図４】（ａ）はシャフトの嵌入状態を示す要部の縦断面図、（ｂ）はシャフトの抜出し作用を示す要部の縦断面図である。
【図５】抜止め片の変形の一例を示す斜視図である。
【図６】抜止め片の変形の他の例を示す縦断面図である。
【図７】従来例を示す正面図である。
【図８】（ａ）は同要部の縦断面図、（ｂ）はＢ−Ｂ矢視図、（ｃ）はブッシュの斜視図である。
【符号の説明】
【００３２】
１        ステータ
１ａ      駆動用コイル
１ｂ      軸受ホルダ
２        ロータ
２ａ      マグネット
２ｂ      ロータケース
２ｃ      シャフト
３        軸受
４        ブッシュ
４ａ      リング部
４ｂ      環状ストッパ
１４      ブッシュ
１５      環状枠
１６      位置決め片
１６ａ    位置決め片の前端面
１７      抜止め片
１７ａ    抜止め片の前端面
１７Ａ    抜止め片の前端部
１８      凹溝
１８ａ    凹溝の前側傾斜面
１８ｂ    凹溝の後側傾斜面
１８Ａ    谷底線
１９      稜線
１９ａ    前側傾斜面
１９ｂ    後側傾斜面
２０      縦溝
２２      深溝
２３      薄肉部
Ｄ        シャフトの外径
ｂ        抜出し方向
Ｓ        仮想円
【図１】
0003107007.tif 000003
【図２】
0003107007.tif 000004
【図３】
0003107007.tif 000005
【図４】
0003107007.tif 000006
【図５】
0003107007.tif 000007
【図６】
0003107007.tif 000008
【図７】
0003107007.tif 000009
【図８】
0003107007.tif 000010